(57)【要約】【課題】  蛇口周りにかかる水滴を遮ることにより、洗面台や流し台の清掃作業を容易にする。【解決手段】  蛇口に取り付けられる蛇口カバー１１は、天壁板３０とこれの両側辺に連なる一対の側壁板３１，３２とを備える取付部３５と、天壁板３０の後端辺に傾動自在に連なって設けられる水受板３４とを有している。蛇口の上方から取付部３５を被せることにより、蛇口を操作する使用者の手の下方に水受板３４が配置され、使用者の手から滴り落ちる水滴を水受板３４によって遮ることができ、フラップ片３６，３７により水滴を蛇口から離れる方向に案内することができる。これにより、複雑な形状を備える蛇口周りに水滴を付着させることがなく、洗面台や流し台の清掃作業が極めて容易となる。【選択図】  図３
2006152753.tif 000002
【特許請求の範囲】
【請求項１】
蛇口本体から分岐する吐水管に取り付けられる蛇口カバーであって、
天壁板とこれの両側辺に連なる一対の側壁板とを備え、前記吐水管に被せられる取付部と、
前記天壁板の一端辺に傾動自在に連なって設けられ、幅方向に広がる水受板とを有し、
蛇口を開閉する際に使用者の手から落ちる水滴を前記水受板によって遮ることを特徴とする蛇口カバー。
【請求項２】
請求項１記載の蛇口カバーにおいて、前記天壁板、前記側壁板、および前記水受板は平板状に展開自在であることを特徴とする蛇口カバー。
【請求項３】
請求項２記載の蛇口カバーにおいて、前記天壁板の他端辺に連なる端壁板を設け、前記端壁板の両端を前記側壁板に形成されるスリットに挿し込むことにより、前記取付部は立体的に形成されることを特徴とする蛇口カバー。
【発明の詳細な説明】
【技術分野】
【０００１】
本発明は、洗面台や流し台等の蛇口に取り付けられ、蛇口周りの汚れを防止する蛇口カバーに関する。
【背景技術】
【０００２】
洗面台や流し台において水仕事を行うと、洗面ボウルや洗い槽から水滴が飛び散ってしまうため、周囲に飛散した水滴を拭き取る必要があった。そこで、洗面ボウル脇のカウンターに板材を直立させることにより、この板材によって飛散する水滴を遮断するようにした水はね防止具が提案されている(たとえば、特許文献１参照)。
【特許文献１】特開平１１−２２５８９８号公報
【発明の開示】
【発明が解決しようとする課題】
【０００３】
しかしながら、従来の水はね防止具にあっては、洗面台や流し台から外部に水滴を飛散させないことに主眼を置いたものが多く、蛇口周りに飛散する水滴を考慮したものではなかった。特に、蛇口を開閉する際に使用者の手から落ちる水滴が考慮されることはなく、水滴が蛇口周りに付着してしまうことが多く見受けられていた。このように、蛇口周りに水滴が付着した場合には、その複雑な形状から水滴を拭き取ることが困難であり、清掃作業に手間がかかることになっていた。また、水滴が付着したまま放置すると、蛇口に水垢が付着してしまうため、清掃作業が一層困難となる。
【０００４】
本発明の目的は、蛇口周りにかかる水滴を遮ることにより、洗面台や流し台の清掃作業を容易にすることにある。
【課題を解決するための手段】
【０００５】
本発明の蛇口カバーは、蛇口本体から分岐する吐水管に取り付けられる蛇口カバーであって、天壁板とこれの両側辺に連なる一対の側壁板とを備え、前記吐水管に被せられる取付部と、前記天壁板の一端辺に傾動自在に連なって設けられ、幅方向に広がる水受板とを有し、蛇口を開閉する際に使用者の手から落ちる水滴を前記水受板によって遮ることを特徴とする。
【０００６】
本発明の蛇口カバーは、前記天壁板、前記側壁板、および前記水受板は平板状に展開自在であることを特徴とする。
【０００７】
本発明の蛇口カバーは、前記天壁板の他端辺に連なる端壁板を設け、前記端壁板の両端を前記側壁板に形成されるスリットに挿し込むことにより、前記取付部は立体的に形成されることを特徴とする。
【発明の効果】
【０００８】
本発明によれば、水受板を備える蛇口カバーを蛇口に取り付けることにより、使用者の手から落ちる水滴を水受板によって遮ることができ、蛇口周りに対する水滴の付着を防止することができる。これにより、複雑な形状を備えることが多い蛇口周りの清掃作業が極めて容易になるとともに、洗面台などを清潔に保つことが容易となる。
【０００９】
また、平板状に形成される天壁板、側壁板および水受板を組み立てることにより、立体的な蛇口カバーを形成するようにしたので、蛇口カバーの製造コストを引き下げることが可能となる。
【発明を実施するための最良の形態】
【００１０】
以下、本発明の実施の形態を図面に基づいて詳細に説明する。図１は洗面台に取り付けて使用される汚れ防止具１０の使用状態を示す斜視図であり、図２は汚れ防止具１０を構成する本発明の一実施の形態である蛇口カバー１１を展開した状態で示す平面図である。また、図３は蛇口カバー１１を組み立てた状態で示す斜視図であり、図４は汚れ防止具１０を構成する水はね防止カバー１２を示す斜視図である。
【００１１】
図１に示すように、汚れ防止具１０が取り付けられる洗面台１３には、凹状の洗面ボウル１４とこの周囲を取り囲むカウンター１５とが設けられている。カウンター１５の背後には上方に延びるバックガード１６が取り付けられ、このバックガード１６には化粧鏡１７が設けられており、バックガード１６と洗面ボウル１４との間のカウンター１５には蛇口１８が設けられている。
【００１２】
蛇口１８はカウンター１５から上方に延びる蛇口本体２０を備えており、蛇口本体２０の上端には水栓レバー２１が設けられ、蛇口本体２０からほぼ水平方向に吐水管２２が分岐するようになっている。吐水管２２の先端には吐水口２３が開口されており、水栓レバー２１を操作することによって吐水口２３から水道水が吐出されるようになっている。また、洗面ボウル１４の底面には排水口２４が形成されており、洗面ボウル１４内に流された水道水は排水口２４より外部に排出される。さらに、洗面ボウル１４の内壁板には洗面ボウル１４内の上限水位を定めるオーバーフロー口２５が形成されており、水道水が上限水位に達した場合にはオーバーフロー口２５から排水されることになる。
【００１３】
続いて、蛇口１８の吐水管２２に取り付けられ、蛇口周りの汚れを防止する蛇口カバー１１について説明する。図２に示すように、蛇口カバー１１は、略台形状に形成される天壁板３０、この天壁板３０の両側辺に連なる一対の側壁板３１，３２、そして天壁板３０の前端辺(他端辺)に連なる端壁板３３を備えており、それぞれの側壁板３１，３２には、保持片３１ａ，３２ａが形成されるとともにスリット３１ｂ，３２ｂが形成されている。また、天壁板３０の後端辺(一端辺)には幅方向に広がる水受板３４が連なって設けられ、水受板３４の幅方向中央には円弧状の切欠部３４ａが形成されている。
【００１４】
このような蛇口カバー１１には、図２に破線で示すように、複数の折り曲げ線が形成されており、これらの折り曲げ線に沿って側壁板３１，３２や水受板３４などを折り曲げることにより、図３に示す立体的な蛇口カバー１１が組み立てられることになる。組み立てる際の手順としては、側壁板３１，３２が天壁板３０に対してほぼ直角に折り曲げられ、端壁板３３が天壁板３０に対してほぼ直角に折り曲げられる。続いて、端壁板３３の両端に形成される係合片３３ａが、側壁板３１，３２のスリット３１ｂ，３２ｂに挿し込まれることにより、天壁板３０、側壁板３１，３２および端壁板３３によって取付部３５が立体的に形成されることになる。そして、水受板３４を天壁板３０に対して所定の角度で立ち上げることによって、図３に示す蛇口カバー１１が組み立てられることになる。なお、図２に示す平板状の蛇口カバー１１は、ＰＥＴ(ポリエチレンテレフタレート)製の樹脂シートを裁断することにより形成されているが、防水コーティングを施した紙など他のシート材料を用いて蛇口カバー１１を形成しても良い。
【００１５】
次いで、前述の蛇口カバー１１と共に吐水管２２に取り付けられ、蛇口周りの汚れを防止する水はね防止カバー１２について説明する。図４に示すように、水はね防止カバー１２は、ほぼ平板状の基板部４０と、これの両側から前方に湾曲する湾曲板部４１とを備えている。このように凹状に形成される水はね防止カバー１２は、ＰＥＴ樹脂を材料に用いて一体成形されている。また、基板部４０のほぼ中央部には、吐水管２２が挿通される取付孔４２が開口されているが、基板部４０に取付孔４２を区画する複数のミシン目等を形成することにより、ミシン目に沿って取付孔４２を任意の大きさに開口させるようにしても良い。なお、取付孔４２の形状としては矩形に限られることはなく、円形など他の形状であっても良いことは言うまでもない。
【００１６】
続いて、蛇口１８に対する蛇口カバー１１と水はね防止カバー１２との取付手順について説明する。ここで、図５は汚れ防止具１０の装着状態を側方から示す部分断面図であり、図６は汚れ防止具１０の装着状態を上方から示す平面図である。まず、図５に示すように、蛇口カバー１１を取り付ける際には、吐水管２２の上方から蛇口カバー１１を被せた後に、取付部３５の保持片３１ａ，３２ａを内側に折り曲げることにより、吐水管２２を抱え込むようにして蛇口カバー１１が取り付けられる。そして、蛇口カバー１１の水受板３４は、水栓レバー２１を操作する手の下方に位置するように、水栓レバー２１に接触するように配置されている。なお、蛇口１８との干渉を避ける切欠部３４ａを水受板３４に形成するようにしたので、蛇口１８に規制されることなく蛇口カバー１１を奥に配置することが可能となっている。
【００１７】
また、蛇口カバー１１の水受板３４は取付部３５に対して傾動自在に設けられるため、吐水管２２の長さ寸法が異なる蛇口１８に取り付ける場合であっても、蛇口カバー１１を柔軟に対応させることが可能となる。つまり、図示する吐水管２２より長い吐水管を備える蛇口にあっては、図示するよりも水受板３４が水平側に傾いた状態となる一方、図示する吐水管２２より短い長い吐水管を備える蛇口にあっては、図示するよりも水受板３４が垂直側に傾いた状態で蛇口本体２０に接触することになる。このように、様々な蛇口に蛇口カバー１１を対応させることが可能となっている。
【００１８】
続いて図５および図６に示すように、水はね防止カバー１２を取り付ける際には、蛇口カバー１１の取付部３５を水はね防止カバー１２の取付孔４２に通しながら、水はね防止カバー１２は洗面ボウル１４の縁に接触するまで押し込まれる。
このとき、蛇口カバー１１の側壁板３１，３２に形成される切り欠き３１ｃ，３２ｃに、水はね防止カバー１２が係合することにより、互いの位置関係が定まるようになっている。なお、図示する場合には、水はね防止カバー１２の下端がオーバーフロー口２５の下方に位置することになるが、図５に示すように、水はね防止カバー１２は洗面ボウル１４の内壁に対して若干傾斜するため、水はね防止カバー１２と洗面ボウル１４との間に隙間を生じさせ、オーバーフロー口２５からの排水が阻害されることはない。また、水はね防止カバー１２の背面に突起を形成することにより、洗面ボウル１４との間に隙間を生じさせるようにしても良い。
【００１９】
以下、蛇口周りに飛散する水滴の処理について説明する。水道水を供給または遮断するため蛇口１８の水栓レバー２１を操作する際には、使用者の濡れた手から蛇口周りに水滴が落下するおそれがある。しかしながら、水栓レバー２１を操作する手の下方には、蛇口カバー１１の水受板３４が配置されるため、落下した水滴は水受板３４に案内されながら、蛇口周りから離れるように流れることになる。ここで、水受板３４の両端には折り曲げ線によって区画されたフラップ片３６が形成され、側壁板３１，３２の後端には折り曲げ線によって区画されたフラップ片３７が形成されるため、図３に示すように、これらのフラップ片３６，３７を折り曲げることにより、水受板３４に遮られた水滴はフラップ片３６によって中央に集められ、フラップ片３７によって蛇口本体２０から離れる方向に案内されることになる。なお、図示する場合には、水はね防止カバー１２が設けられるため、フラップ片３７に案内された水滴は、水はね防止カバー１２の背面に沿って洗面ボウル１４内に流れ落ちることになる。
【００２０】
また、使用者の手から落下する水滴だけでなく、洗面ボウル１４からの跳ね返り等によっても水滴が蛇口周りに向かうことになる。このように、蛇口１８に向けて飛散する水滴は、水はね防止カバー１２によって遮断され、遮断された水滴は水はね防止カバー１２に沿って下方に案内される。水はね防止カバー１２はその下端が洗面ボウル１４内に入り込んだ状態となっているため、水はね防止カバー１２の下方に流れる水滴はそのまま洗面ボウル１４内に流れ込むことになる。このため、水はね防止カバー１２に遮断される水滴を別途に処理する必要はなく、水はね防止カバー１２に受け止められた水滴によってカウンター１５を汚すこともない。なお、蛇口１８からの水量が増大して水滴が激しく飛び散る場合であっても、水はね防止カバー１２は凹状に形成されているため、水はね防止カバー１２によって遮断される水滴は洗面ボウル１４に向けて跳ね返ることになる。
【００２１】
これまで説明したように、蛇口１８に蛇口カバー１１を装着することにより、使用者の手から落ちる水滴を、蛇口周りに付着させることなく洗面ボウル１４側に案内することが可能となる。これにより、複雑な形状を備える蛇口周りに水滴を付着させることがなく、蛇口周りの清掃作業が極めて容易になるとともに、洗面台１３を清潔に保つことが容易となる。また、図２および図３に示すように、平板状に形成される蛇口カバー１１を組み立てることにより、立体的な蛇口カバー１１を形成するようにしたので、蛇口カバー１１の製造コストを引き下げることが可能となる。
【００２２】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、図示する場合には、蛇口カバー１１と水はね防止カバー１２とを共に蛇口１８に装着しているが、これに限られることはなく、蛇口カバー１１を単体で蛇口１８に装着するようにしても良い。
【００２３】
また、図示する蛇口１８にあっては水栓レバー２１を備える蛇口１８であるが、これに限られることはなく、水栓レバー２１に代えて水栓コックを備えた蛇口に本発明の蛇口カバー１１や水はね防止カバー１２を装着するようにしても良い。なお、水栓コックをひねることによって開閉するタイプの蛇口にあっては、水栓レバー２１を備える蛇口１８よりも使用者の手が奥まで入り込むため、水受板３４の切欠部３４ａを深く形成することにより、水受板３４を奥まで入り込ませることが望ましい。
【００２４】
さらに、蛇口カバー１１や水はね防止カバー１２の形状は、図示する形状に限られることはなく、蛇口１８の形状や洗面ボウル１４等の形状に応じて適宜変更しても良い。たとえば、蛇口カバー１１の天壁板３０は台形状に形成されているが、吐水管の形状に合わせて長方形状に形成しても良く、吐水管が円筒状である場合には幅方向に湾曲させても良い。また、水はね防止カバー１２の基板部４０は、ストレートタイプの洗面ボウル１４に合わせるため、ほぼ平板状に形成されているが、この形状に限られることはなく、ラウンドタイプの洗面ボウルに合わせるように、基板部４０を水平方向に湾曲させるようにしても良い。
【図面の簡単な説明】
【００２５】
【図１】洗面台に取り付けて使用される汚れ防止具の使用状態を示す斜視図である。
【図２】汚れ防止具を構成する本発明の一実施の形態である蛇口カバーを展開した状態で示す平面図である。
【図３】図２の蛇口カバーを組み立てた状態で示す斜視図である。
【図４】汚れ防止具を構成する水はね防止カバーを示す斜視図である。
【図５】汚れ防止具の装着状態を側方から示す部分断面図である。
【図６】汚れ防止具の装着状態を上方から示す平面図である。
【符号の説明】
【００２６】
１０    汚れ防止具
１１    蛇口カバー
１２    水はね防止カバー
１３    洗面台
１４    洗面ボウル
１５    カウンター
１６    バックガード
１７    化粧鏡
１８    蛇口
２０    蛇口本体
２１    水栓レバー
２２    吐水管
２３    吐水口
２４    排水口
２５    オーバーフロー口
３０    天壁板
３１，３２    側壁板
３１ａ，３２ａ    保持片
３１ｂ，３２ｂ    スリット
３３    端壁板
３３ａ  係合片
３４    水受板
３４ａ  切欠部
３５    取付部
３６，３７    フラップ片
４０    基板部
４１    湾曲板部
４２    取付孔
【図１】
2006152753.tif 000003
【図２】
2006152753.tif 000004
【図３】
2006152753.tif 000005
【図４】
2006152753.tif 000006
【図５】
2006152753.tif 000007
【図６】
2006152753.tif 000008